(57)【要約】【課題】開口部を広く取ることが可能な箱型建築物ユニットおよびこれを用いた建築物の提供。【解決手段】壁面、天井面および床面がＣＬＴパネル１０，１１，１２，１３により形成された箱型建築物ユニットにおいて、開口部１８が、左右両側にそれぞれ設けられたＣＬＴパネル１２，１３からなる一対の壁部と、一対の壁部の間に架け渡されたＣＬＴパネル１１からなる補強梁部とにより囲まれて形成され、壁面としての強度はＣＬＴパネル１２，１３からなる一対の壁部とこの一対の壁部の間に架け渡されたＣＬＴパネル１１からなる補強梁部により賄うため、開口部１８を広く取ることができる。【選択図】図２
2020045750.tif 000002
【特許請求の範囲】
【請求項１】
壁面、天井面および床面がＣＬＴパネルにより形成された箱型建築物ユニットであって、
前記壁面の少なくとも１つが、左右両側にそれぞれ設けられたＣＬＴパネルからなる一対の壁部と、前記一対の壁部の間に架け渡されたＣＬＴパネルからなる補強梁部とにより囲まれた開口部を有する箱型建築物ユニット。
【請求項２】
前記壁部と前記補強梁部とは、前記壁部のＣＬＴパネルの木端面に対して前記補強梁部のＣＬＴパネルの木口面が突き合わされて接合部材により接合された構造である請求項１記載の箱型建築物ユニット。
【請求項３】
前記接合部材による接合部は、前記壁部のＣＬＴパネルに形成され、前記壁部のＣＬＴパネルの木端面および少なくとも外側主面に向かって開口された第１開口部であり、前記壁部のＣＬＴパネルの木端面側よりも前記壁部のＣＬＴパネルの内側が幅広となる第１開口部と、前記補強梁部のＣＬＴパネルの前記壁部のＣＬＴパネルに形成された前記第１開口部の対面に形成され、前記補強梁部のＣＬＴパネルの木口面および少なくとも外側主面に向かって開口された第２開口部であり、前記補強梁部のＣＬＴパネルの木口面側よりも前記補強梁部のＣＬＴパネルの内側が幅広となる第２開口部と、前記壁部のＣＬＴパネルの前記第１開口部および前記補強梁部のＣＬＴパネルの第２開口部に前記壁部のＣＬＴパネルおよび前記補強梁部のＣＬＴパネルの外側主面側から挿入される千切り状の接合部材とから構成される請求項２記載の箱型建築物ユニット。
【請求項４】
前記千切り状の接合部材は、前記壁部のＣＬＴパネルの開口部に対応する形状の第１部材と、前記補強梁部のＣＬＴパネルの開口部に対応する形状の第２部材とが、ボルト・ナットにより連結されたものである請求項３記載の箱型建築物ユニット。
【請求項５】
請求項１から３のいずれか１項に記載の箱型建築物ユニットを複数連結した建築物。
【発明の詳細な説明】
【技術分野】
【０００１】
本発明は、直交集成板（ＣＬＴ）からなるパネル（ＣＬＴパネル）により形成された箱型建築物ユニットおよびこれを用いた建築物に関する。
【背景技術】
【０００２】
直交集成板（ＣＬＴ（Ｃｒｏｓｓ  Ｌａｍｉｎａｔｅｄ  Ｔｉｍｂｅｒ））は、板の繊維方向が各層で互いに直交するように積層接着したパネルである。ＣＬＴパネルは、直交積層であるため、建築の資材として使用されてきた集成材よりも強度が安定しており、変形しにくく、コンクリートにも匹敵する強度を持ち、断熱性にも優れているという特徴がある。
【０００３】
従来、このＣＬＴパネルを利用した住宅構造が提案されている。例えば、特許文献１には、２以上のＣＬＴパネル等の箱型パネルを自重により支持されるように配置し、特段の連結具を使用することなく建築物を建築することが記載されている。また、特許文献１には、側壁部を形成する一部の側壁用箱型パネルに、開口部として窓を設けたり、出入口を設けたりすることが記載されている。
【先行技術文献】
【特許文献】
【０００４】
【特許文献１】特許第６２７１０６１号公報
【発明の概要】
【発明が解決しようとする課題】
【０００５】
上記ように、特許文献１には側壁部を形成する一部の側壁用箱型パネルに開口部を設けることが記載されているが、これらの開口部は側壁用箱型パネルに窓や出入口などの小さな開口をくり抜くように設けているにすぎない。特許文献１の建築物は、箱型パネルをバランス良く配置することにより、特段の連結具を使用することなく建築物を建築可能としたものであり、開口部を設ける側壁用箱型パネルの強度が他の側壁用箱型パネルの強度と大きく乖離しないようにする必要がある。
【０００６】
そこで、本発明においては、開口部を広く取ることが可能な箱型建築物ユニットおよびこれを用いた建築物を提供することを目的とする。
【課題を解決するための手段】
【０００７】
本発明の箱型建築物ユニットは、壁面、天井面および床面がＣＬＴパネルにより形成された箱型建築物ユニットであって、壁面の少なくとも１つが、左右両側にそれぞれ設けられたＣＬＴパネルからなる一対の壁部と、一対の壁部の間に架け渡されたＣＬＴパネルからなる補強梁部とにより囲まれた開口部を有するものである。
【０００８】
本発明の箱型建築物ユニットは、壁面、天井面および床面がＣＬＴパネルにより形成された箱型建築物ユニットにおいて、開口部が、左右両側にそれぞれ設けられたＣＬＴパネルからなる一対の壁部と、一対の壁部の間に架け渡されたＣＬＴパネルからなる補強梁部とにより囲まれて形成され、壁面としての強度はＣＬＴパネルからなる一対の壁部とこの一対の壁部の間に架け渡されたＣＬＴパネルからなる補強梁部により賄うため、開口部を広く取ることができる。
【発明の効果】
【０００９】
本発明によれば、開口部を広く取り、施工性に優れた箱型建築物ユニットが得られる。
【図面の簡単な説明】
【００１０】
【図１】本発明の実施の形態における箱型建築物ユニットの斜視図である。
【図２】図１の箱型建築物ユニットの正面図である。
【図３】図２の左側面図である。
【図４】図１のＩＶ部を拡大したＣＬＴパネルの接合部の分解斜視図である。
【図５】接合部材の斜視図である。
【図６】図５の接合部材の分解斜視図である。
【図７】図５の接合部材の平面図である。
【図８】図５の接合部材の正面図である。
【図９】図５の接合部材の底面図である。
【図１０】図１の箱型建築物ユニットを用いた建築物の斜視図である。
【図１１】図１０の建築物の側面図である。
【図１２】図１０のＸＩＩ部の連結部分の断面図である。
【図１３】図１２の連結部分の斜視図である。
【図１４】図１３の分解斜視図である。
【発明を実施するための形態】
【００１１】
図１は本発明の実施の形態における箱型建築物ユニットの斜視図、図２は図１の箱型建築物ユニットの正面図、図３は図２の左側面図、図４は図１のＩＶ部を拡大したＣＬＴパネルの接合部の分解斜視図、図５は接合部材の斜視図、図６は図５の接合部材の分解斜視図、図７は図５の接合部材の平面図、図８は正面図、図９は底面図である。
【００１２】
図１〜図３に示すように、本発明の実施の形態における箱型建築物ユニット１は、ＣＬＴパネル１０，１１，１２，１３，１４，１５，１６，１７，・・・を直方体の各面（天井面、床面および４つの側壁面）に配置し、隣接するＣＬＴパネル１０，１１，１２，１３，１４，１５，１６，１７，・・・を後述する接合部材２を用いて接合することにより形成される。
【００１３】
この直方体（箱型建築物ユニット１）の各面の直交部は、一方（第１）のＣＬＴパネルの内側主面に対して他方（第２）のＣＬＴパネルの木口面または木端面が、第１のＣＬＴパネルの木口面または木端面と第２のＣＬＴパネルの外側主面とが面一となるように突き合わされて接合された構造である。なお、ＣＬＴパネルの木口面とはＣＬＴパネルの長手方向の端面をいい、ＣＬＴパネルの木端面とはＣＬＴパネルの短手方向の端面をいうものとする。
【００１４】
例えば、箱型建築物ユニット１の天井面のＣＬＴパネル１０と側壁面のＣＬＴパネル１１との直交部は、ＣＬＴパネル１０の内側主面１０ｉに対してＣＬＴパネル１１の木端面１１ｓが、ＣＬＴパネル１０の木端面１０ｓとＣＬＴパネル１１の外側主面１１ｏとが同一となるように突き合わされて接合部材２により接合される。天井面のＣＬＴパネル１０と側壁面のＣＬＴパネル１５との直交部、側壁面のＣＬＴパネル１３と側壁面のＣＬＴパネル１４との直交部、側壁面のＣＬＴパネル１６と側壁面のＣＬＴパネル１７との直交部も同様である。また、図１に現れない背面側のＣＬＴパネル同士の直交部も同様である。
【００１５】
接合部材２による接合部は、一方（第１）のＣＬＴパネルの木口面または木端面と外側主面とが、第１のＣＬＴパネルの内側主面側よりも外側主面側が幅広となるように開口され、他方（第２）のＣＬＴパネルの木口面または木端面と少なくとも外側主面とが、第２のＣＬＴパネルの木口面または木端面側よりも第２のＣＬＴパネルの内側が幅広となるように開口されている。
【００１６】
例えば、図４に示すように、ＣＬＴパネル１０とＣＬＴパネル１１との接合部には、ＣＬＴパネル１０に木端面１０ｓと内側主面１０ｉおよび外側主面１０ｏとが開口された開口部１０ｎが形成され、ＣＬＴパネル１１に木端面１１ｓと内側主面１１ｉおよび外側主面１１ｏとが開口された開口部１１ｎが形成されている。開口部１０ｎは、木端面１０ｓからみて上底が下底より長い逆等脚台形状、すなわち、ＣＬＴパネル１０の内側主面１０ｉ側よりも外側主面１０ｏ側が幅広となるように形成されている。開口部１１ｎは、開口部１０ｎと対称形であり、外側主面１１ｏからみて上底が下底より短い等脚台形状、すなわち、ＣＬＴパネル１１の木端面１１ｓ側よりも内側（木端面１１ｓから離れる側（図４の下側））が幅広となるように形成されている。他のＣＬＴパネル同士の直交部の接合部も同様である。
【００１７】
接合部材２は、上述のような開口部１０ｎ，１１ｎに対応する形状とした千切り（バタフライジョイント）状の接合部材である。図５〜図９に示すように、接合部材２は、ＣＬＴパネル１０の開口部１０ｎに対応する形状の第１部材２１と、ＣＬＴパネル１１の開口部１１ｎに対応する形状の第２部材２２とから構成される。第１部材２１と第２部材２２とは、ボルト２３およびナット２４により連結される。ボルト２３はプレート２５上に２本固定されている。
【００１８】
第１部材２１および第２部材２２は、ＣＬＴから形成されている。第１部材２１および第２部材２２は、開口部１０ｎ，１１ｎに対応する形状である。但し、第１部材２１の台形状の脚部２１ａおよび第２部材２２の台形状の脚部２２ａは、接合部材２を箱型建築物ユニット１の外側（第１のＣＬＴパネルの木口面または木端面および第２のＣＬＴパネルの外側主面側）から開口部１０ｎ，１１ｎへ挿入、すなわち、図４の例ではＣＬＴパネル１０の木端面１０ｓおよびＣＬＴパネル１１の外側主面１１ｏ側から挿入した際に、ＣＬＴパネル１０，１１同士を締め付ける力が働くように勾配が設けられている。
【００１９】
また、第１部材２１および第２部材２２には、ボルト２３が貫通する孔２１ｂ，２２ｂが形成されている。第１部材２１の台形状の底辺部２１ｃには、ナット２４および座金２６が突出しないように座掘り２１ｄが形成されている。第２部材２２の台形状の底辺部２２ｃには、プレート２５が突出しないように座掘り２２ｄが形成されている。接合部材２は、上記構成の第１部材２１および第２部材２２をプレート２５のボルト２３に通し、座金２６を介してナット２４により締め付けて連結したものである。
【００２０】
上記構成の箱型建築物ユニット１は、ＣＬＴパネル１０，１１，１２，１３，１４，１５，１６，１７，・・・を直方体の各面（天井面、床面および４つの側壁面）に配置し、隣接するＣＬＴパネル１０，１１，１２，１３，１４，１５，１６，１７，・・・を外側に向かって開口されている開口部１０ｎ，１１ｎ等に千切り状の接合部材２を挿入していくことで容易に接合することが可能である。
【００２１】
特に、この箱型建築物ユニット１では、ＣＬＴパネル１０とＣＬＴパネル１１等との締め付けが弱い場合には、ＣＬＴパネル１０の外側主面１０ｏ側からボルト２３・ナット２４を締め付けることにより接合部材２の第１部材２１と第２部材２２とを締め付け、ＣＬＴパネル１０とＣＬＴパネル１１等とをしっかりと締め付けることが可能となっている。なお、第１部材２１と第２部材２２とをゴム等の弾性部材により形成することで、箱型建築物ユニット１を免震構造とすることも可能である。
【００２２】
また、本実施形態における箱型建築物ユニット１は、壁面の少なくとも１つが、例えば図２に示すように、左右両側にそれぞれ設けられたＣＬＴパネル１２，１３からなる一対の壁部と、この一対の壁部の間に架け渡されたＣＬＴパネル１１からなる補強梁部とにより囲まれた開口部１８（図２に「ＯＰＥＮ」で示す二点鎖線部分。）を有する構造となっている。図３は左右両側にそれぞれ設けられたＣＬＴパネル１４，１６からなる一対の壁部と、この一対の壁部の間に架け渡されたＣＬＴパネル１５からなる補強梁部とにより囲まれた開口部１９（図３に「ＯＰＥＮ」で示す二点鎖線部分。）を示している。
【００２３】
これらの壁部と補強梁部とは、壁部のＣＬＴパネル１２，１３（１４，１６）の木端面１２ｓ，１３ｓ（１４ｓ，１６ｓ）に対して補強梁部のＣＬＴパネル１１（１５）の木口面１１ｔ（１５ｔ）が突き合わされて接合部材２により接合されている。この接合部材２による接合部は、壁部のＣＬＴパネル１２，１３（１４，１６）に開口部１１ｎと同様の第１開口部１２ｎ，１３ｎ（１４ｎ，１６ｎ）が形成され、この第１開口部１２ｎ，１３ｎ（１４ｎ，１６ｎ）の対面の補強梁部のＣＬＴパネル１１（１５）に開口部１１ｎと同様の第２開口部１１ｎ’（１５ｎ）が形成され、これらの第１開口部１２ｎ，１３ｎ（１４ｎ，１６ｎ）および第２開口部１１ｎ’（１５ｎ）にＣＬＴパネル１１，１２，１３（１４，１５，１６）の外側主面１１ｏ，１２ｏ，１３ｏ（１４ｏ，１５ｏ，１６ｏ）側から接合部材２が挿入されることにより形成される。
【００２４】
第１開口部１２ｎ，１３ｎ（１４ｎ，１６ｎ）は、それぞれ壁部のＣＬＴパネル１２，１３（１４，１６）の木端面１２ｓ，１３ｓ（１４ｓ，１６ｓ）および少なくとも外側主面１２ｏ，１３ｏ（１４ｏ，１６ｏ）に向かって開口され、壁部のＣＬＴパネル１２，１３（１４，１６）の木端面１２ｓ，１３ｓ（１４ｓ，１６ｓ）側よりも壁部のＣＬＴパネル１２，１３（１４，１６）の内側が幅広となっている。第２開口部１１ｎ’（１５ｎ）は、それぞれ補強梁部のＣＬＴパネル１１（１５）の木口面１１ｔ（１５ｔ）および少なくとも外側主面１１ｏ（１５ｏ）に向かって開口され、補強梁部のＣＬＴパネル１１（１５）の木口面１１ｔ（１５ｔ）側よりも補強梁部のＣＬＴパネル１１（１５）の内側が幅広となっている。
【００２５】
なお、開口部１１ｎ、第１開口部１２ｎ，１３ｎ，１４ｎ，１６ｎおよび第２開口部１１ｎ’，１５ｎは、外側主面１１ｏ，１２ｏ，１３ｏ，１４ｏ，１５ｏ，１６ｏに向かってのみ開口し、内側主面側（図２および図３の裏面側）には開口しない構成とすることで、接合部材２が箱型建築物ユニット１の室内側に露出しないようにし、接合部材２が居住者の目に触れないようにすることができる。このとき、接合部材２は、開口部１１ｎ、第１開口部１２ｎ，１３ｎ，１４ｎ，１６ｎおよび第２開口部１１ｎ’，１５ｎの深さに応じた厚みとする。
【００２６】
そして、上記箱型建築物ユニット１を図１０に示すように複数連結することで建築物を構成することも可能である。
【００２７】
ここで、図１０に示すように隣接配置された複数の箱型建築物ユニット１の連結構造について説明する。図１１は図１０の建築物の側面図、図１２は図１０のＸＩＩ部の連結部分の断面図、図１３は図１２の連結部分の斜視図、図１４は図１３の分解斜視図である。
【００２８】
本実施形態における隣接配置された複数の箱型建築物ユニット１の連結構造では、図１２〜図１４に示すように、隣接位置にあるＣＬＴパネル１３，１７同士を貫通する貫通孔３０が形成され、この貫通孔３０内に中空筒状のブッシュ３１が挿通され、この中空筒状のブッシュ３１内にボルト３２が挿通される。ボルト３２はＣＬＴパネル１３，１７の両外側から座金３３を介してナット３４により締結される。
【００２９】
なお、ＣＬＴパネル１３，１７の両外側には貫通孔３０に連続して座繰り３５が形成されている。ナット３４はこの座繰り３５内に収容され、ＣＬＴパネル１３，１７の両外側には突出しない。また、ボルト３２およびブッシュ３１もＣＬＴパネル１３，１７から突出しない長さとなっている。ブッシュ３１はゴム等の弾性体からなる。
【００３０】
なお、以上では複数の箱型建築物ユニット１の隣接位置にあるＣＬＴパネル１３，１７の連結部分を例に説明したが、上下方向および水平方向に複数の箱型建築物ユニット１を隣接配置した場合には、上下方向および水平方向にそれぞれ隣接位置にあるＣＬＴパネル同士を同様の構成により連結する。
【００３１】
上記構成の連結構造では、上下方向や水平方向に隣接配置される複数の箱型建築物ユニット１が、複数の箱型建築物ユニット１の隣接位置にあるＣＬＴパネル同士を貫通する貫通孔３０を通じて中空筒状のブッシュ３１およびボルト３２により連結される。この連結構造では、従来の係留索のように複数の箱型建築物ユニット１を貫通するものがないため、複数の箱型建築物ユニット１をその内部の居住空間に影響なく上下方向や水平方向に自在に連結した建築物が得られる。
【００３２】
また、本実施形態における連結構造では、ブッシュ３１がゴム等の弾性体であることにより、地震等により発生する上下方向や水平方向の揺れをこの弾性体のブッシュ３１が低減するため、免震構造を有する建築物となる。
【００３３】
また、この連結構造では、ボルト３２がＣＬＴパネルの貫通孔３０に連続して形成された座繰り３５内に収容されるナット３４により締結されるものであり、ボルト３２およびブッシュ３１がＣＬＴパネルから突出しない長さであることにより、ＣＬＴパネルの表面から居住空間内に突出するものがない建築物となる。
【産業上の利用可能性】
【００３４】
本発明は、ＣＬＴパネル同士を接合した箱型建築物ユニットおよびこれを用いた建築物として有用である。
【符号の説明】
【００３５】
１  箱型建築物ユニット
２  接合部材
１０，１１，１２，１３，１４，１５，１６，１７  ＣＬＴパネル
１８，１９  開口部
２１  第１部材
２２  第２部材
３０  貫通孔
３１  ブッシュ
３２  ボルト
３３  座金
３４  ナット
３５  座繰り
【図１】
2020045750.tif 000003
【図２】
2020045750.tif 000004
【図３】
2020045750.tif 000005
【図４】
2020045750.tif 000006
【図５】
2020045750.tif 000007
【図６】
2020045750.tif 000008
【図７】
2020045750.tif 000009
【図８】
2020045750.tif 000010
【図９】
2020045750.tif 000011
【図１０】
2020045750.tif 000012
【図１１】
2020045750.tif 000013
【図１２】
2020045750.tif 000014
【図１３】
2020045750.tif 000015
【図１４】
2020045750.tif 000016